(57)【特許請求の範囲】
【請求項１】
床上を走行可能な車体フレームと、該車体フレーム上に立設される支柱部と、該支柱部に支持される平面視において略矩形状の載置台と、前記支柱部に具備される昇降機構とからなり、前記支柱部は前記載置台に対して幅狭に構成してなる昇降可能なストレッチャーにおいて、前記昇降機構はねじの正逆転によって伸縮する伸縮手段によって作動するよう構成され、この伸縮手段を作動させる昇降操作手段は前記載置台の長手側の少なくとも一側面側から昇降操作できる昇降可能状態と、前記支柱部に沿った収納状態とに切替操作可能となるように、前記伸縮手段の一端部にハンドル軸受を略水平面内で回動自在となるように枢着するとともに、このハンドル軸受に挿通される昇降ハンドルの端部に止着されるギヤと前記伸縮手段のねじ端部に止着されたギヤとが前記昇降可能状態としたときにのみ噛合するよう構成し、さらに、昇降可能状態でハンドル軸受の水平面内での回動操作を防止する回動ロック機構を備えるとともに、該回動ロック機構を解除することによってハンドル軸受を前記支柱部に沿うように平面内で回動させることにより、ストレッチャーをベッド等に重ねたときに該昇降ハンドルが障害とならないよう構成したことを特徴とするストレッチャーにおける昇降操作機構。
【請求項２】
請求項１に記載の昇降操作手段をストレッチャーの左右両側に配設し、ストレッチャーの左右何れの側からも昇降操作可能としたストレッチャーにおいて、これら両側部に配設された昇降操作手段が同時に昇降操作可能な状態とならないよう一方の昇降操作手段を使用する際には、他方の昇降操作手段が略水平面内での回動操作ができないように、互いに回動自在となるように枢着したプレートの自由端部を前記ハンドル軸受に軸着し、該ハンドル軸受が支柱部に沿う方向に回動するよう付勢するスプリングを張設し、一方の操作ハンドルが使用状態にあるとき、他方の操作ハンドルを回動させる際には前記プレートが昇降手段の一端部に止着されたガイド部材に接触して回動できないよう構成したことを特徴とするストレッチャーにおける昇降操作手段。
【発明の詳細な説明】
【０００１】
【発明が属する技術分野】
本発明は、手動操作によって昇降するストレッチャーにおける昇降操作手段に関するものである。
【０００２】
【従来の技術】
例えば、患者等を乗せて移動するための手段として用いられるストレッチャーは、緊急時、あるいは重症患者の移動の際に適している。このようなストレッチャーには、患者を搬送して手術台あるいは診察台等に移乗させやすくするため、高さを調節する手段として、昇降機構が必須のものとなっている。
【０００３】
ところで、前記ストレッチャーの昇降機構には、油圧あるいは電気的な動力を利用して昇降させるものがある。これらの昇降機構を用いることによって昇降操作にかかる負担は大幅に軽減される。しかしながら、この種のストレッチャーには昇降時の誤動作を防止するための安全装置が必要となったり、重量的に重くなってしまい移動操作における負担が増すといった問題点等がある。また、手動により昇降させるものと比較して高価になってしまっている。
一方で手動操作によって昇降可能なストレッチャーも数多くある。この手動による昇降機構を用いたものは、ねじの回転によって伸縮する伸縮杆を使用したもの、あるいは、ねじの回転によってＸ型のリンクフレームを作動させるものであり、この種のものは比較的軽量に構成することが可能であり、軽量であるため移動操作も容易に行えるという利点を有している。
【０００４】
上記のような手動操作による昇降機構では昇降操作手段すなわち昇降ハンドルの取付位置によってストレッチャーの使い易さが大きく変わってくる。例えばストレッチャーの頭側あるいは足側に昇降ハンドルを具備したものであれば、ベッド等に横付けする際にストレッチャーの側部からベッド側へ押し込むように操作するのが比較的容易である。然る後、ベッド等との高さ合わせを行うが、この時ストレッチャーの頭側あるいは足側に移動して操作するようになり、緊急時等には素早い載せかえが行えないという欠点を有している。また、昇降操作時に頭側あるいは足側からでは患者の身体を十分に保持することができず、患者に不安感を与えてしまう恐れもあった。
【０００５】
【発明が解決しようとする課題】
本発明は、上記問題点に鑑みなされたものであり、安全かつ容易な操作が行えるように手動操作による昇降機構を用いたストレッチャーにおいて昇降操作手段を載置台の側部に配するとともに、この昇降操作手段をベッド等との重なりの邪魔にならないよう収納可能とすることを課題としている。
【０００６】
【課題を解決するための手段】
請求項１のストレッチャーにおける昇降操作手段は、床上を走行可能な車体フレームと、該車体フレーム上に立設される支柱部と、該支柱部に支持される平面視において略矩形状の載置台と、前記支柱部に具備される昇降機構とからなり、前記支柱部は前記載置台に対して幅狭に構成してなる昇降可能なストレッチャーにおいて、前記昇降機構はねじの正逆転によって伸縮する伸縮手段によって作動するよう構成され、この伸縮手段を作動させる昇降操作手段は前記載置台の長手側の少なくとも一側面側から昇降操作できる昇降可能状態と、前記支柱部に沿った収納状態とに切替操作可能となるように、前記伸縮手段の一端部にハンドル軸受を略水平面内で回動自在となるように枢着するとともに、このハンドル軸受に挿通される昇降ハンドルの端部に止着されるギヤと前記伸縮手段のねじ端部に止着されたギヤとが前記昇降可能状態としたときにのみ噛合するよう構成し、さらに、昇降可能状態でハンドル軸受の水平面内での回動操作を防止する回動ロック機構を備えるとともに、該回動ロック機構を解除することによってハンドル軸受を前記支柱部に沿うように平面内で回動させることにより、ストレッチャーをベッド等に重ねたときに該昇降ハンドルが障害とならないよう構成したことを特徴とする。
請求項２のストレッチャーにおける昇降操作手段は、請求項１に記載の昇降操作手段をストレッチャーの左右両側に配設し、ストレッチャーの左右何れの側からも昇降操作可能としたストレッチャーにおいて、これら両側部に配設された昇降操作手段が同時に昇降操作可能な状態とならないよう一方の昇降操作手段を使用する際には、他方の昇降操作手段が略水平面内での回動操作ができないように、互いに回動自在となるように枢着したプレートの自由端部を前記ハンドル軸受に軸着し、該ハンドル軸受が支柱部に沿う方向に回動するよう付勢するスプリングを張設し、一方の操作ハンドルが使用状態にあるとき、他方の操作ハンドルを回動させる際には前記プレートが昇降手段の一端部に止着されたガイド部材に接触して回動できないよう構成したことを特徴とする。
【０００７】
請求項１の発明によれば、手動操作によ昇降機構を用いて昇降するストレッチャーにおいて、載置台の両側部から昇降操作可能に昇降操作手段を用いているので、ベッド等への横付け操作から昇降操作を行うまで、載置台側部に位置した状態で一連の操作ができる。また、この昇降操作手段は昇降操作可能に側方へ昇降ハンドルが突出する状態と、ベッド等に横付けした際に載置台下面に凹部空間が形成され、ベッドとの重なりが十分とれるように昇降ハンドルが昇降操作可能な状態から支柱部に沿った収納状態となる側に向けて略水平面内で回動自在に構成されており、ストレッチャーをベッド等に横付けするのではなく、重ねることによって患者等の移乗時における転落防止が図られ、より安全に移乗操作を行うことができる。さらに、昇降操作位置においては昇降ハンドルの回転が適切に行われるよう、ハンドル軸受の略水平面内での回動が保持拘束される回動ロック機構を備えており、伸縮手段側のギヤと昇降ハンドル側のギヤが噛合した状態で保持拘束され、昇降ハンドルの回転操作ががたつきなく正常に行うことができる。請求項２の発明によれば、載置台の左右何れの側からも昇降操作可能に昇降操作手段が設けられており、患者の向きを考慮する必要がない。また、一方の昇降操作手段を操作位置にセットした際には、他方の昇降操作手段が収納状態から回動できないように構成されているので、載置台下面に凹部空間が形成され、その空間にベッド等が侵入可能となり、載置台とベッドが十分重なり、移乗時にストレッチャーとベッドとの間から転落させることがない。さらに、必ず一方の昇降操作手段と伸縮手段は切り離されており、載置台下面に収納され見えない状態にある昇降ハンドルを気にする必要もない。
【０００８】
【発明の実施の形態】
以下、本発明に係る昇降操作手段１について、具体的に実施形態を示し、添付の図面に基づいて説明する。第１図及び第２図は、本発明に係る昇降操作手段１を備えたストレッチャーＳを示している。このストレッチャーＳは、キャスター型の車輪２，２，・・・を備えた車体フレーム３上に、昇降機構４を備えた支柱部５を立設させ、載置台６を支持する構成としている。なお、本実施形態では、前記車体フレーム３は背丈を低くするとともに支柱部５を幅狭に構成することによって正面視（第２図参照）において前記載置台６下方に開放された凹部空間Ｓ１が形成されるよう構成されている。このような構成とすることによって、該空間Ｓ１内にベッドＢ等が入り込むように横付け可能となり、載置台６をベッドＢ等と重ねることができ、移乗をより容易かつ安全に行うことができるよう構成したものである。
【０００９】
まず、前記車体フレーム３は、前後に夫々設けられる前フレーム３ａと後フレーム３ｂとを前後方向の縦フレーム３ｃで連結して平面視において略Ｈ型状に構成され、四隅には夫々キャスター型の車輪２，２，・・・が取り付けられており、前後及び左右何れの方向にも移動自在に構成されるとともに、背丈の低い構造とすることによってベッドＢ下に侵入可能となっている。前記車体フレーム３条には、支柱部５が設けられる。この支柱部５は前記縦フレーム３ｃ上に立設するように固着される下部支柱７，７と、該下部支柱７，７に夫々回動自在に枢着されるリンク部材８，８と、該リンク部材８，８に枢着される上部支柱９，９とから主として構成される平行リンク機構を用いたものである。まず、前記下部支柱７，７は、上記縦フレーム３ｃに前後に離間した状態で固着され、該下部支柱７，７上端部に中空の筒体７ａ，７ａが固着されてなるものである。そして、側面視において略Ｌ字状に形成されたリンク部材８，８には各頂点部に筒体８ａ，８ｂ，８ｃが夫々固着されており、該筒体８ａ，８ａと前記筒体７ａ，７ａとをピン１０，１０にて回動自在に枢着するとともに、リンク部材８，８の筒体８ｂ，８ｂとの間に連動杆１１を回動自在に枢着して、前後に配されたリンク部材８，８を同位相で回動するよう構成している。さらに、該リンク部材８，８の筒体８ｃ，８ｃには平面視において矩形状に構成された基部枠１２の下面に止着された上部支柱９，９，・・・下端部に固着された筒体９ａ，９ａ，・・・をピン１３，１３にて回動自在に枢着しており、リンク部材８，８の回動によって該基部枠１２が上下に昇降可能に構成されている。なお、１４は前後の上部支柱９，９間に固着された補強杆である。
【００１０】
上記のように構成された支柱部５上端、すなわち基部枠１２上には載置台６が設置される。載置台６は前記基部枠１２上に固着される支持部材１５，１５上に格子状に構成されたボトムフレーム１６を有し、該ボトムフレーム１６上にボトムプレート１７を止着するとともに、該ボトムプレート１７上にクッション性の良いマット１８が敷設されている。なお、１９はサイドガードであり、前記ボトムフレーム１６に回動自在に軸着されており、搬送時には立設させてガードとして使用し、移乗時には側方へ回動させベッドＢ等への橋渡しとして使用できるものである。
【００１１】
次に上記ストレッチャーに具備される昇降機構４について説明する。この昇降機構４は前記リンク部材８，８と基部枠１２との間に取り付けられる伸縮手段２０によるものであり、この伸縮手段７は、一端部にリンク部材８への取付部となる支持軸２１が止着され、他端部にナット部材２２を止着した摺動パイプ２３を備えている。なお、前記支持軸２１には左右方向の空孔部２１ａが備えられており、該空孔部２１ａとリンク部材８の筒体８ｂにピン２４を挿通し固定している。そして、前記ナット部材２２には一端部にブレ止めのカラー２５が軸支された雌ねじ２６が螺合されている。この摺動パイプ２３は支持パイプ２７に挿通されている。該支持パイプ２７には一端部に摺動パイプ２３のブレ止めとなる支持カラー２８が止着され、他端部には固定メタル２９が固着されている。この固定メタル２９内部にはベアリング３０が嵌着されており、上記雄ねじ２６を軸承している。なお、該雄ねじ２６の他端部にはギヤ３１が楔着されており、後述する昇降操作手段１により正逆転可能となっている。このように構成された伸縮手段２０は、上述の通り支持軸２１をリンク部材８の筒体８ｂに回動自在に枢着するとともに、前記支持パイプ２７の側面に固着された軸受３２，３２と基部枠１２に穿たれた空孔部１２ａ，１２ａとをピン３３，３３により枢着している。すなわち、後述昇降操作手段１によりギヤ３１を正逆転させることによってナット部材２２を上下に移動させ、これに伴って、摺動パイプ２３が摺動し、リンク部材８，８を回動することになり載置台６が上下に昇降するよう構成されてなるものである。
【００１２】
次に上記伸縮手段２０を操作する昇降操作手段１について説明する。前記伸縮手段２０はストレッチャーＳに取り付けると傾斜した状態となっているが、この伸縮手段２０の上端部の固定メタル２９には、この状態で略水平面内で回動可能となるブラケット部２９ａ，２９ａが一体的に構成されている。このブラケット部２９ａには昇降ハンドル３４が略水平面内で回動可能となるようハンドル軸受３５が枢着されるとともに、昇降ハンドル３４の昇降操作時に昇降ハンドル３４先端部に楔着されるギヤ３６と伸縮手段２０のギヤ３１の噛合を保持拘束する回動ロック機構３７と、さらに少なくとも左右一方側の昇降操作手段１が格納された状態となるよう構成している。まず、上記ハンドル軸受３５は、軸受パイプ３８の一端部側にプレート３９を介して上下方向の軸受パイプ４０が固着されるとともに、該軸受パイプ３８の略中間部にＵ字状プレート４１を固着し、さらにナット４２，４３を固着してなるものであり、前記ブラケット部２９ａに軸受パイプ４０が枢着されている。なお、該ハンドル軸受３５は左右対称状に構成されており、固定メタル２９の左右両側に配されたブラケット部２９ａ，２９ａに夫々枢着されているものである。そして、上記軸受パイプ３８にはクランク状に曲折されてなる昇降ハンドル３４の一端部に前記伸縮手段２０のギヤ３１と噛合するギヤ３６を楔着している。なお、４４は昇降ハンドル３４に止着されるカラーであり、４５はグリップである。また、ナット４３には昇降操作手段１のカバー（図示しない）が止着される。
【００１３】
そして、回動ロック機構３７について説明する。このロック機構３７は伸縮手段２０のギヤ３１と昇降ハンドル３４のギヤ３６とが噛合した状態で、昇降操作手段１を昇降操作する状態で保持して略水平面内での回動を規制するものである。まず前方回動の規制について説明する。前記固定メタル２９の下面に止着されるＬ字状プレート４６の先端部に固着されるストッパ部材４７と、ハンドル軸受３５に固着されたナット４２に螺着されるボルト４８との接触によってなるものである。次に、昇降操作手段１を昇降操作する状態で保持するロック機構３７について説明する。このロック機構３７はハンドル軸受３５のＵ字状プレート４１に回動自在に枢着されるロック部材４９と、固定メタル２９上面に止着されるガイド部材５０とからなる。前記ロック部材４９は、端部にロック片５１ａを備えたプレート５１に軸受５２及び操作レバー５３を固着してなるものであり、該ロック部材４９はＵ字状プレート４１にピン５４により回動自在に枢着されている。また、前記ガイド部材５０は、扇状のガイドプレート５５，５５を固定プレート５６に固着してなるものであり、該ガイド部材５０は固定メタル２９上面に止着されている。これらガイド部材５０とロック部材４９はハンドル軸受３５の前方回動により、ロック片５１ａがガイドプレート５５内側面に沿ってスライドし、ギヤ３１とギヤ３６が噛合したときに軸受５２を中心としてロック部材４９が回動し、ガイドプレート５５の端面にロック片５１ａが係止する。この状態（第７図参照）で、昇降操作手段１の略水平面内での回動拘束され、ギヤ３１とギヤ３６の噛合が適切な状態となり昇降ハンドル３４の回転操作を行うことができる。この状態から操作レバー５３を後方回動させるとガイドプレート５５とロック片５１ａとの係合が解除され、ハンドル軸受３５が後方回動可能となり基部枠１２に沿った収納状態となるよう後方回動可能となる。なお、５７はスプリングで、ハンドル軸受３５を前方回動することによって自動的にガイドプレート５５端面に係合する方向にロック部材４９を回動させるよう付勢しているものである。
【００１４】
さらに、本実施形態においては昇降操作しない側面側に昇降ハンドルが突出することがないよう昇降操作手段１を構成している。これは、左右のハンドル軸受３５，３５に固着されたＵ字状プレート４１，４１間に両端に空孔部５８ａ，５８ａを備えたプレート５８をそれぞれ回動自在に枢着し、該プレート５８，５８の空孔部５８ａ，５８ａをピン５９により枢着し、さらにピン５９と上記支持部材１５間にスプリング６０を張設してなるものである。すなわち、第５図において収納された側の昇降ハンドル３４を前方回動させようとしても、プレート５８がガイド部材５０に接触してそれ以上回動できないよう構成してなるものである。また、スプリング６０により、回動ロック機構３７を解除した昇降操作手段１は常に収納されるよう後方回動する側に付勢されている。
【００１５】
上述のように構成された昇降操作手段１を備えたストレッチャーＳを使用する際には、まず、このストレッチャーＳをベッドの傍まで移動させる。然る後、ストレッチャーＳの側部からベッド側へ移動させ載置台６とベッドとの重なりが十分とれる位置までずらし、昇降操作手段１を前方側へ回動させる。このとき、回動ロック機構３７のロック片５１ａが、ガイドプレート５５の内側面に沿って移動し、スプリング５７によって自動的にロック片５１ａとガイドプレート５５端面が係合し、昇降操作可能な状態から支柱部に沿った収納状態となる側に回動できない状態となる。さらに、この状態でストッパ部材４７とハンドル軸受３５に取り付けられたボルト４８が接触した状態となり、ハンドル軸受３５の昇降操作可能な状態から反収納側への略平面内での回動が拘束された状態となっている。すなわち、ハンドル軸受３５は平面視において伸縮手段２０と垂直に交差する状態で、ロックされており、このハンドル軸受３５内に通された昇降ハンドル３４の回転操作字に伸縮手段２０側のギヤ３１と昇降ハンドル３４の回転操作時に伸縮手段２０側のギヤ３１と昇降ハンドル３４に設けたギヤ３６が適切に噛合した状態でぐらつくことなく回転操作可能となっている。そして、この昇降ハンドル３４を回転させ、伸縮手段２０を作動させることによって載置台６を昇降させる。ベッドとの高さがあった状態で、患者を移乗させる。この移乗後、載置台６を上昇させ、別の場所へ移動すれば良い。また、この昇降操作手段１は、一方の昇降操作手段１が昇降操作可能な状態にあるとき、他方の昇降操作手段１が回動できないよう構成されており、一方の昇降操作手段１すなわち、昇降ハンドル３４の操作を行った際に、他方の昇降ハンドル３４が回転することがない。さらに、載置台６下面に凹部空間Ｓ１がとれるようにストレッチャーＳを構成すれば、昇降ハンドル３４も内側に収納されており、ベッドとの重なりが十分とれ、患者の転落等を防ぐことができる。さらに、本実施例においては前記伸縮手段２０がリンク部材８と基部枠１２に取り付けられ、傾斜した状態となっているが、伸縮手段２０先端部の固定メタル２９に略水平面内での回動が可能となるブラケット部２９ａを設けることによって、基部枠１２に昇降操作手段１が接触せずに回動することができ、より支柱部５側に昇降操作ハンドル３４を収納することが可能である。
【００１６】
【発明の効果】
請求項１の発明によれば、手動操作によって昇降可能な昇降機構を具備したストレッチャーなので、比較的軽量に構成することができ、これに伴って移動操作が容易に行える。さらに、ストレッチャーの昇降操作手段を載置台の側部から操作可能に設けているので、ベッド等への横付け操作から昇降操作を行う際に同じ場所から夫々の操作ができるとともに、さらに昇降操作時には載置台上の患者等を昇降操作しない他方の手で支えてあげることが可能なので、患者等はより安心できる。また、この昇降操作手段は昇降操作を行わない時にはロック手段を解除することで略水平面内で支柱部に沿う側に回動するように付勢されており、自動的に該ストレッチャーの支柱部に沿った状態となり、移動時あるいはベッドとストレッチャーを重ね合わせるとき、該昇降操作手段が障害とならない。すなわち、昇降ハンドルを壁面等に接触させて破損することやベッドの床面に昇降ハンドルを当てた状態で昇降操作してしまうことを防止できるとともに、ハンドルを脱着することなく邪魔にならない位置に収納できるので、昇降ハンドルの紛失も防止できる。なお、昇降操作位置すなわち、伸縮手段のギヤと昇降ハンドルのギヤとが噛合した状態で前後夫々の回動が保持拘束されており、昇降ハンドルの回転操作が確実に行えるよう構成されている。請求項２の発明によれば、昇降操作手段を載置台の左右何れの側面からも操作できるように両側に具備されており、患者の向きを気にすることなく、移載及び移乗させることができる。さらに、一方側の昇降操作手段を昇降状態としたときに他方の昇降操作手段を収納した状態から回動することができないよう構成している。これは一方の昇降ハンドルの操作によって他方の昇降ハンドルも回転し、第三者に該昇降ハンドルが接触することを防止できるとともに、昇降操作状態にある昇降操作手段の反対側には載置台下面に凹部空間Ｓ１が形成されるので、ベッド等と載置台との重なりが十分とれ、移乗時に患者を転落させることなく、作業をすることができる効果を有している。
【図面の簡単な説明】
【図１】本発明にかかる昇降操作手段を備えたストレッチャーを示す全体側面図
【図２】その全体正面図
【図３】伸縮手段を示す側断面図
【図４】昇降操作手段の構成を示す斜視図
【図５】昇降操作手段の組立状態を示す要部斜視図
【図６】左右両側部の昇降操作手段を収納した状態を示す要部平面図
【図７】一方の昇降操作手段が昇降操作可能な状態を示す要部平面図
【符号の説明】
１    昇降操作手段
２    車輪
３    車体フレーム
４    昇降機構
５    支柱部
６    載置台
２０  伸縮手段
２６  雄ねじ
３１  ギヤ
３４  昇降ハンドル
３５  ハンドル軸受
３６  ギヤ
３７  回動ロック機構
Ｓ    ストレッチャー
Ｓ１  凹部空間
【図１】
0004036439.tif 000002
【図２】
0004036439.tif 000003
【図３】
0004036439.tif 000004
【図４】
0004036439.tif 000005
【図５】
0004036439.tif 000006
【図６】
0004036439.tif 000007
【図７】
0004036439.tif 000008